(57)【要約】【課題】  展示物の展示の作業性を向上することができる額縁を提供する。加えて、展示物の保存場所を確保することができる額縁を提供する。【解決手段】  展示物Ｐをホルダ２のフィルム板に挟み保持させる。そして、このホルダ２を、額縁１の挿入口から同展示物Ｐを表示面６側に向けて収容部に収容する。これによって、開口部７からは、展示物Ｐを鑑賞することができる。そして、展示が終了し、新たな展示物Ｐを展示させたい場合には、この新たな展示物Ｐをホルダ２に保持させた後、収容部に収容する。このとき、このホルダ２は、その新たな展示物Ｐが開口部７から鑑賞可能となるように収容される【選択図】        図１
2005160969.tif 000002
【特許請求の範囲】
【請求項１】
展示物を収容して展示する額縁において、
展示用の展示物を保持するホルダと、
一側面に形成した挿入口から挿入される前記展示用の展示物を保持する前記ホルダを収容する収容部を有するとともに、前記収容部を表示面側に開放するように開口部を切欠き形成して前記ホルダに保持された展示用の展示物が視認できるようにした本体フレームとを備えるとともに、
前記収容部は保管用の展示物を保持するホルダが前記展示用の展示物を保持する前記ホルダとともに収容される大きさに形成したことを特徴とする額縁。
【請求項２】
展示物を収容して展示する額縁において、
展示用の展示物を保持するホルダと、
一側面に形成した挿入口から挿入される前記展示用の展示物を保持する前記ホルダを収容する収容部を有するとともに、前記収容部を表示面側に開放するように開口部を切欠き形成して前記ホルダに保持された展示用の展示物が視認できるようにした本体フレームと、
保管用の展示物を保持するホルダを収容する保管部が凹設され、その保管部の開口部が本体フレームにて閉塞されて連結保持される基板と
を備えるとともに、
前記本体フレームに設けた前記収容部は保管用の展示物を保持するホルダが前記展示用の展示物を保持する前記ホルダとともに収容される大きさに形成したことを特徴とする額縁。
【請求項３】
請求項１又は２に記載の額縁であって、
前記本体フレームの一側面に形成した挿入口には、前記ホルダの脱落を防止する脱落防止手段を設けたことを特徴とする額縁。
【請求項４】
請求項３に記載の額縁において、
前記基板に形成した前記保管部には、前記ホルダの脱落を防止する脱落防止手段を設けたことを特徴とする額縁。
【請求項５】
請求項１乃至４のいずれか１つに記載の額縁において、
前記ホルダは、２枚の透明なフィルム板を備え、
さらに、２枚の前記フィルム板の間に、前記展示物を挟むことによって、同展示物を保持するように構成したことを特徴とする額縁。
【発明の詳細な説明】
【技術分野】
【０００１】
本発明は、額縁に関する。
【背景技術】
【０００２】
従来、絵画や写真等の展示物を展示する額縁は、枠体及び基板から構成されている。この枠体は、展示物を表示するための表示領域を有し、さらに、展示物を展示する際には、展示物の外周を覆うことによって額縁の表示面側から展示物を支持していた。一方、基板は展示物を展示する際には、額縁の非表示面側から止め具等を介して枠体に取り付けられ、展示物を支持するようになっていた。そして、このように構成された額縁は、壁等に吊り下げられて展示物を展示するようになっていた。
【０００３】
しかし、上述したように額縁に収められた展示物を交換する際には、その度に、額縁を壁等から取り外して、さらに基板を枠体から取り外すことによって交換を行うので、手間を要していた。
【０００４】
このような問題を解決することができる額縁が種々提案されている（例えば、特許文献１。）。
特許文献１に記載の額縁では、その額縁を構成する枠体は、基板の上縁部に吊持ちされており、表示面側からの開閉が可能とされている。このため、枠体を表示面側から開くことによって絵画等の展示物を交換できるようになっている。このように構成することによって、壁面から額縁を取り外すことなく表示面側から展示物を交換することができるようになっていた。
【特許文献１】特開平7−１９９８４６号公報
【発明の開示】
【発明が解決しようとする課題】
【０００５】
ところで、一般に展示を終えた絵画等の展示物は、額縁から取り外され保管される。しかしながら、展示物のサイズが大きかった場合、その保管場所を確保することが容易ではなかった。また、絵画等の展示物は、サイズが大きくなる程、撓みやすく、その交換の際の扱いに手間を要していた。
【０００６】
本発明は、上記問題点を解消するためになされたものであって、その第１の目的は、展示物の展示の作業性を向上することができる額縁を提供することにある。加えて、第２の目的は、展示物の保存場所を確保することができる額縁を提供することにある。
【課題を解決するための手段】
【０００７】
本発明の額縁は、展示物を収容して展示する額縁であって、展示用の展示物を保持するホルダと、一側面に形成した挿入口から挿入される前記展示用の展示物を保持する前記ホルダを収容する収容部を有するとともに、前記収容部を表示面側に開放するように開口部を切欠き形成して前記ホルダに保持された展示用の展示物が視認できるようにした本体フレームとを備えるとともに、前記収容部は保管用の展示物を保持するホルダが前記展示用の展示物を保持する前記ホルダとともに収容される大きさに形成した。
【０００８】
これによれば、額縁は、本体フレームの一側面に形成した挿入口から展示用の展示物を保持する前記ホルダを挿入して収容部に収容する。また、この収容部を保管用の展示物を保持するホルダが展示用の展示物を保持するホルダとともに収容される大きさにした。従って、この額縁を例えば壁等に取り付けた状態で展示物を保持したホルダを挿入して展示
することができる。また、展示の終了した展示物を、収容して保管することができる。
【０００９】
本発明の額縁は、展示物を収容して展示する額縁であって、展示用の展示物を保持するホルダと、一側面に形成した挿入口から挿入される前記展示用の展示物を保持する前記ホルダを収容する収容部を有するとともに、前記収容部を表示面側に開放するように開口部を切欠き形成して前記ホルダに保持された展示用の展示物が視認できるようにした本体フレームと、保管用の展示物を保持するホルダを収容する保管部が凹設され、その保管部の開口部が本体フレームにて閉塞されて連結保持される基板とを備えるとともに、前記本体フレームに設けた前記収容部は保管用の展示物を保持するホルダが前記展示用の展示物を保持する前記ホルダとともに収容される大きさに形成した。
【００１０】
これによれば、額縁は、本体フレームの一側面に形成した挿入口から展示用の展示物を保持する前記ホルダを挿入して収容部に収容する。また、この収容部を保管用の展示物を保持するホルダが展示用の展示物を保持するホルダとともに収容される大きさにした。基板に形成した保管部に保管用の展示物を保持するホルダが保管される。従って、この額縁を例えば壁等に取り付けた状態で展示物を保持したホルダを挿入して展示することができる。また、展示の終了した多数の展示物を、収容して保管することができる。
【００１１】
この額縁において、前記本体フレームの一側面に形成した挿入口には、前記ホルダの脱落を防止する脱落防止手段を設けてもよい。
これによれば、ホルダは、脱落防止手段によって、その脱落が防止される。これによって、額縁を壁等に取り付けた場合でも、ホルダは脱落しないので安定して展示又は保管することができる。
【００１２】
この額縁において、前記基板に形成した前記保管部には、前記ホルダの脱落を防止する脱落防止手段を設けてもよい。
これによれば、ホルダは、脱落防止手段によって、その脱落が防止される。これによって、額縁を壁等に取り付けた場合でも、ホルダは脱落しないので安定して展示又は保管することができる。
【００１３】
この額縁において、前記ホルダは、２枚の透明なフィルム板を備え、さらに、２枚の前記フィルム板の間に、前記展示物を挟むことによって、同展示物を保持するように構成してもよい。
【００１４】
これによれば、フィルム板に展示物を挟むことによって、展示物を保持させることができる。従って、例えば、展示物がＡ２サイズの写真であった場合でも、保持することによって、その撓みを低減することができるので、展示の際の作業性を向上することができる。
【発明を実施するための最良の形態】
【００１５】
以下、本発明を具体化した第１実施形態を図１〜図４に従って説明する。
図１に示すように、額縁１は、ホルダ２及び本体フレーム３を備えている。このホルダ２は、図２に示すように、絵画や写真等の展示物Ｐを保持するためのものであって、透明のフィルム板２ａ，２ｂから構成されている。このフィルム板２ａ，２ｂは、可撓性のアクリル等の透明な材質から形成されていて、展示物Ｐを保持する際には、この２枚のフィルム板２ａ，２ｂの間に展示物Ｐ挟むことによって保持するようになっている。即ち、図２に示す場合では、展示物Ｐは、フィルム板２ａ，２ｂからなるホルダ２に保持された状態で、フィルム板２ａ側から鑑賞可能となっている。
【００１６】
一方、本体フレーム３は、略直方体状に形成されていて、右側面３ａには左側面（図示
しない）に向かって凹設された収容部４（図３参照）を備えている。図３に示すように、同本体フレーム３に形成した収容部４は、前記ホルダ２を２枚収容できる大きさに形成されていて、本体フレーム３の右側面３ａに形成した収容部４の挿入口５からホルダ２を出し入れができるようになっている。また、収容部４の挿入口５の一側内面には上下一対の係止部材Ｒが固着されている。係止部材Ｒは、ゴム等の可撓性のある突起であって接着剤等で挿入口５の内面に固着されている。
【００１７】
そして、収容部４に収容されるホルダ２が、この係止部材Ｒによって係止されるようになっている。これによって、額縁１を壁等に取り付けた場合でも、ホルダ２が収容部４から脱落を防止することができ、安定して展示することができるようになっている。尚、ホルダ２を収容部４に対して収容又は取り出される場合には、同ホルダ２が係止部材Ｒと当接すると、係止部材Ｒは撓み、ホルダ２の収容又は取り出しができるようになっている。つまり、例えばホルダ２を収容部４に収容すると、撓んでいた係止部材Ｒは、元の状態に戻ることによって挿入口５にてホルダ２を係止する。
【００１８】
本体フレーム３には、その表示面６（前面）に開口部７が切欠き形成されている。この開口部７は、前記収容部４を表示面６側に開放する。これによって、前記ホルダ２が収容部４に収容されている場合、このホルダ２は、開口部７を介して表示面６側に開放され視認可能となる。即ち、このホルダ２を収容部４に収容する際には、ホルダ２に収容された展示物Ｐが表示面６側に向くように、ホルダ２を収容することによって、図１に示すように展示物Ｐは、開口部７から鑑賞可能となる。
【００１９】
他方、図４に示すように、前記本体フレーム３の非表示面８には、切欠き部９ａ〜９ｄが形成されている。この切欠き部９ａ〜９ｄが形成されることによって、非表示面８には、支持板１０，１１が形成されている。この支持板１０，１１は、本体フレーム３の非表示面８にて直交していて、同支持板１０，１１にはそれぞれ止め具１２，１３が形成されている。この止め具１２，１３は、本体フレーム３を壁等に吊るすためのものであって、同止め具１２，１３にはそれぞれ穴部１２ａ，１３ａが形成されている。そして、図示しないが、壁等に固着されたフックに穴部１２ａ又は穴部１３ａを掛けることによって本体フレーム３を吊るすようになっている。このとき、本体フレーム３を、止め具１２の穴部１２ａを介して吊るした場合、本体フレーム３は図１に示すように横向きとなり、止め具１３の穴部１３ａを介して吊るした場合には、本体フレーム３は図示しないが縦向きとなる。この本体フレーム３が縦向きとなったとき、前記挿入口５は、上方向に向くようになっているので、収容部４に収容されたホルダ２は落下しないようになっている。
【００２０】
次に、以上のように構成された額縁１の使用方法について説明する。
このとき、額縁１は、上述したように、壁等に横向きに取り付けられているものとする。まず、展示物Ｐをホルダ２のフィルム板２ａ，２ｂに挟み保持させる。そして、このホルダ２を、額縁１の挿入口５から同展示物Ｐを表示面６側に向けて収容部４に収容する。これによって、上述したように開口部７からは、展示物Ｐを鑑賞することができる。
【００２１】
そして、展示が終了し、新たな展示物Ｐを展示させたい場合には、この新たな展示物Ｐをホルダ２に保持させた後、収容部４に収容する。このとき、このホルダ２は、上述したように、その新たな展示物Ｐが開口部７から鑑賞可能となるように収容される。
【００２２】
一方、展示が終了した展示物Ｐを保持したホルダ２は、新たな展示物Ｐを保持したホルダ２を収容したことによって、収容部４の非表示面８側に移動して収容されている（図３参照）。これによって、この額縁１は、展示物Ｐを展示するとともに、展示の終了した展示物Ｐを保管することができる。
【００２３】
以上、上記した第１実施形態によれば、以下の効果を奏する。
（１）本実施形態の額縁１では、ホルダ２を２枚収容できる収容部４を備えた。このように構成することによって、展示が終了した展示物Ｐをホルダ２ごと収容部４に保管することができるので、保管場所を確保することができる。
（２）本実施形態の額縁１では、展示物Ｐをホルダ２に保持させた。このように構成することによって、展示物Ｐが、例えば、Ａ２サイズの写真であった場合でも、ホルダ２に保持させることによって、撓みを低減することができる。これによって、展示物Ｐの展示、又は展示終了後の交換の際には、その作業性を向上させることができる。
（３）本実施形態の額縁１では、その本体フレーム３の右側面３ａに挿入口５を形成した。このように構成することによって、額縁１を壁等に取り付けた状態からホルダ２（展示物Ｐ）を展示又は交換することができる。この結果、展示又は交換の度に額縁１を壁等から取り外すことがないので、その作業性を向上することができる。
（４）本実施形態の額縁１では、その本体フレーム３に開口部７を形成し、ホルダ２に保持された展示物Ｐを鑑賞可能となるように構成した。このように構成することによって、開口部７に、通常の額縁のようにガラス板等の透明板を設ける必要がないので、本体フレーム３の構造を簡素化することができる。この結果、額縁１の製造の工程数を低減することができるので、生産コストを低減することができる。
（５）本実施形態の額縁１では、その収容部４が展示部及び保管部を兼ねるように構成した。このように構成することによって、本体フレーム３の構造を簡素化することができる。この結果、額縁１の製造の工程数を低減することができるので、生産コストを低減することができる。
（第２実施形態）
次に、本発明を具体化した第２実施形態について図５及び図６に従って説明する。
【００２４】
本実施形態の額縁では、第１実施形態と比較して、ホルダ２を収納する新たな収容部をさらに備えている。本実施形態では、説明の便宜上、第１実施形態と差異のある箇所について説明し、同一の部分については、同一の符号を付して説明を省略する。
【００２５】
図５に示すように、額縁２０は、略直方体状に形成された基板２１と、第１実施形態と同様に構成されたホルダ２及び本体フレーム３とを備えている。尚、本実施形態の本体フレーム３は、前記止め具１２，１３を備えていない。
【００２６】
この本体フレーム３には、その四隅に、同本体フレーム３が基板２１に取り付けられるための取り付け具２２がそれぞれ形成されている。この取り付け具２２は、基板２１の四隅に形成された穴部２３にそれぞれ嵌合するようになっている。そして、取り付け具２２を穴部２３に嵌合させた状態では、本体フレーム３は、基板２１に一体に取り付けられ、連結保持されるようになっている。また、本体フレーム３の側面には、前記ホルダ２の前記挿入口５からの脱落を防止するロック機構２４が設けられている。
【００２７】
一方、基板２１は、ホルダ２を５枚収納可能な大きさに凹設して保管部２５を備えている。この保管部２５は、本体フレーム３を基板２１に取り付ける際に、同本体フレーム３と直接対向するように開口する開口部２６を有していて、この開口部２６からホルダ２を収容し保管するようになっている。即ち、前記本体フレーム３を基板２１に取り付けた際には、この保管部２５は、同本体フレーム３によって閉塞されるようになっている。
【００２８】
保管部２５の一側内面には溝２８が形成され、保管部２５に収容されるホルダ２の一側辺を嵌合保持する。保管部２５の他側内面には、ストッパ２９が設けられ、前記一側辺が前記溝２８に嵌合保持されたホルダ２の他側辺を係止するようになっている。このストッパ２９は、図示しないがヒンジ構造となっていて、縁部２７に対して同ストッパ２９の回動板２９ａが回動するようになっている。通常、この回動板２９ａは、閉状態になってい
て（図５参照）、この閉状態においては、回動板２９ａは、保管部２５に収容されているホルダ２の他側辺を係止するようになっている。即ち、額縁２０では、基板２１の保管部２５にホルダ２を収容、又保管部２５に収容されたホルダ２を交換する際には、ストッパ２９の回動板２９ａを開状態にして行うようになっている。そして、回動板２９ａが閉状態となっているとき、上述したように、保管部２５に収容されたホルダ２は、溝２８及びストッパ２９によって保持されるので、脱落を防止され安定して保管することができるようになっている。
【００２９】
また、前記保管部２５は、その底部３０に切欠き部３１〜３４が形成されている。この切欠き部３１〜３４を形成することによって、同底部３０には、支持板３５，３６が形成されている。この支持板３５，３６は互いに直交し、同支持板３５，３６にはそれぞれ穴部３７，３８が形成されている。この穴部３７，３８には、止め具３９が取り付け可能となっている。この止め具３９は、額縁２０を壁等に取り付けるためのものであって、円柱状の本体部４０、及び同本体部４０に取着されたアーム部４１から構成されていて、同本体部４０を穴部３７又は穴部３８に嵌合することによって取り付けられるようになっている。そして、この止め具３９のアーム部４１を、壁等に固着されたフックにかけることによって、額縁２０（基板２１）を吊るすようになっている。このとき、額縁２０を、止め具３９を穴部３７に取り付けた状態で吊るした場合、図示しないが、額縁２０は横向きとなり、止め具３９を穴部３８に取り付けた状態で吊るした場合には縦向きとなる。
【００３０】
次に、以上のように構成された額縁２０の使用方法について説明する。
このとき、額縁２０は、その基板２１及び本体フレーム３が一体となっていて、壁等に横向きに取り付けられているものとする。まず、第１実施形態と同様に、展示物Ｐをホルダ２のフィルム板２ａ，２ｂに挟み保持させる。そして、このホルダ２を、本体フレーム３の挿入口５から同展示物Ｐを表示面６側に向けて収容部４に収容する。これによって、上述したように開口部７からは、展示物Ｐを鑑賞することができる。このとき、展示物Ｐは、前記ロック機構２４によって挿入口５からの脱落を防ぐことができる。
【００３１】
一方、展示が終了した展示物Ｐを保持したホルダ２は、第１実施形態と同様に収容部４の非表示面８側に移動して収容することができる（図３参照）。さらに、ホルダ２を基板２１の保管部２５に保管することができる。この場合には、額縁２０を壁等から取り外した後、前記本体フレーム３を基板２１から離間させる。そして、図６（ａ）に示すように、保管部２５にホルダ２を収容させた後（図６の場合、ホルダ２が３枚収容されている）、図６（ｂ）に示すように本体フレーム３を基板２１に取り付けて額縁２０を形成する。そして、この額縁２０を再び壁等に取り付ける。これによって、本実施形態の額縁２０は、第１実施形態の額縁１の効果に加えて、さらに、多くのホルダ２を収容して保管することができる。
【００３２】
このとき、この保管部２５にホルダ２を収容する作業は、壁等に額縁２０を取り付けた状態のまま行ってもよい。また、保管部２５には、展示前の展示物Ｐを保持したホルダ２をストックとして保管しておいてもよい。
【００３３】
尚、発明の実施の形態は、上記各実施形態に限定されるものではなく、以下のように変更してもよい。
・上記実施形態では、本体フレーム３の収容部４に収容できるホルダ２を２枚として、基板２１の保管部２５に収容できるホルダ２を５枚としたが、この限りではなく、何枚収容してもよい。このとき、額縁１又は額縁２０の構成を適宜変更することが望ましい。従って、例えば、本体フレーム３の挿入口５を除く一面にマチを設けて、その収容量を大きくしてもよい。
【００３４】
・上記実施形態のホルダ２では、フィルム板２ａ，２ｂから構成し、展示物Ｐを保持したが、この限りではなく、このホルダ２により多くの展示物Ｐを保持できるように構成してもよい。従って、例えば、その一辺にマチを設けてもよい。
【００３５】
・上記実施形態では、本体フレーム３の収容部４又は基板２１の保管部２５に、展示の終了した展示物Ｐをホルダ２に保持させた状態で、保管したが、この限りではなく、ホルダ２に保持させないで、展示物Ｐのみを保管してもよい。
【００３６】
・上記実施形態では、本体フレーム３の収容部４に、展示用のホルダ２及び展示の終了したホルダ２をそれぞれ収容したが、この限りではなく、例えば、この収容部４を保管専用の収容部、及び展示専用の収容部に区画形成して、それぞれにホルダ２を収容してもよい。
【図面の簡単な説明】
【００３７】
【図１】第１実施形態の額縁の概略を説明するための平面図。
【図２】同実施形態のホルダを説明するための平面図。
【図３】同実施形態の額縁の構成を説明するための側面図。
【図４】同実施形態の止め具の構成を説明するための平面図。
【図５】第２実施形態の額縁の構成を説明するための分解斜視図。
【図６】（ａ）同実施形態の額縁の使用方法を説明するための側面図、（ｂ）同実施形態の額縁の使用方法を説明するための側面図。
【符号の説明】
【００３８】
１，２０…額縁、２…ホルダ、２ａ，２ｂ…フィルム板、３…前面板としての本体フレーム、４…展示部及び保管部を兼ねる収容部、５…挿入口、６…表示面、７…開口部、２１…基板、２４…脱落防止手段としてのロック機構、２５…保管部、２６…保管部の開口部、Ｐ…展示物、Ｒ…脱落防止手段としての係止部材。
【図１】
2005160969.tif 000003
【図２】
2005160969.tif 000004
【図３】
2005160969.tif 000005
【図４】
2005160969.tif 000006
【図５】
2005160969.tif 000007
【図６】
2005160969.tif 000008